(57)【要約】      （修正有）【課題】弦及び共鳴胴の振動が圧電素子に無駄なくかつ集中して伝達する弦楽器のピックアップ装置を提供する。【解決手段】ピックアップ装置２０は、弦１５を支持するサドル２２とブリッジ１４との間に配置されている。ピックアップ装置２０は、基板２１上に配置されて、１つの弦１５に対して、弦１５の振動をピックアップする圧電素子で構成したピックアップ電極２４ａ，２４ｂ，２４ｃ，２４ｄを有する。サドル２２の下部には、ピックアップ電極２４ａ，２４ｂ，２４ｃ，２４ｄに向けて下方に延びた複数の脚部が設けられている。【選択図】図２
2013218086.tif 000002
【特許請求の範囲】
【請求項１】
弦を支持するサドルとブリッジとの間に圧電素子を配置して弦の振動をピックアップする弦楽器のピックアップ装置において、
１つの弦に対して複数の圧電素子を設けるとともに、前記サドルの下部に前記複数の圧電素子に向けてそれぞれ下方に延びた複数の脚部を設けたことを特徴とする弦楽器のピックアップ装置。
【請求項２】
請求項１に記載の弦楽器のピックアップ装置において、さらに、
前記サドルと前記圧電素子の相対的位置を決めるサポート部材を設けたことを特徴する弦楽器のピックアップ装置。
【請求項３】
前記サポート部材は、導電性材料で構成されるとともに、接地されるように構成したことを特徴とする請求項２に記載の弦楽器のピックアップ装置。
【請求項４】
１つの弦に対して４つの圧電素子を設けるとともに、前記サドルの下部に４つの脚部を設けたことを特徴とする請求項１乃至３のうちのいずれか１つに記載の弦楽器のピックアップ装置。
【請求項５】
１つの弦に対して３つの圧電素子を設けるとともに、前記サドルの下部に３つの脚部を設けたことを特徴とする請求項１乃至３のうちのいずれか１つに記載の弦楽器のピックアップ装置。
【請求項６】
１つの弦に対して２つの圧電素子を設けるとともに、前記サドルの下部に２つの脚部を設けたことを特徴とする請求項１乃至３のうちのいずれか１つに記載の弦楽器のピックアップ装置。
【請求項７】
前記サドルを、複数の弦にそれぞれ独立に設けたことを特徴とする請求項１乃至６のうちのいずれか１つに記載の弦楽器のピックアップ装置。
【発明の詳細な説明】
【技術分野】
【０００１】
本発明は、ギター等の弦楽器の振動をピックアップする弦楽器のピックアップ装置に関する。
【背景技術】
【０００２】
従来から、下記特許文献１に示されているように、電気コイルを用いたギターのピックアップ装置は知られている。このピックアップ装置においては、サドルを磁気透過材料で構成するとともに、サドル内に磁石を埋め込んで磁極を構成し、サドル上部の弦を挟んだ両側位置に一対の磁極先端部を上方に突出させて、一対の磁極先端部に電気コイルをそれぞれ巻き、電気コイルにより弦の振動をピックアップするようにしている。また、下記特許文献２に示されているように、圧電素子を用いたギターのピックアップ装置も知られている。このピックアップ装置においては、断面台形状かつ底面を平面に成形して弦を支持するサドルの下面に、一対の圧電結晶を弦の長手方向に沿って互いに離間して配置し、一対の圧電結晶により共鳴胴の振動をも考慮した弦の振動をピックアップするようにしている。
【０００３】
また、非特許文献１には、上部に弦受け部を有し、かまぼこ型（半円柱形状）かつ底面を平面に成形した台座（サドル）の下に、４極の圧電セラミックを配置して、共鳴胴の振動をも考慮した弦の３軸方向の振動を検出できるようにしたギターのピックアップ装置が示されている。また、非特許文献２には、前記非特許文献１のピックアップ装置において、台座（サドル）の形状を、断面３角形状（３角柱状）かつ底面を平面に成形することも示されている。さらに、非特許文献３には、前記非特許文献１のピックアップ装置において、台座（サドル）の形状を、正４角錐状かつ底面を平面に成形することも示されている。
【先行技術文献】
【特許文献】
【０００４】
【特許文献１】特許第３８５１１６９号公報
【特許文献２】特開２００１−３５６７７４号公報
【非特許文献】
【０００５】
【非特許文献１】音楽音響研究会資料ＭＡ２００８−５０第４３頁〜第４６頁
【非特許文献２】音楽音響研究会資料ＭＡ２０１０−２４第９頁〜第１２頁
【非特許文献３】Ｊａｐａｎｅｓｅ  Ｊｏｕｒｎａｌ  ｏｆ  ａｐｐｌｉｅｄ  Ｐｈｙｓｉｃｓ  ５０(２０１１)０７ＨＣ０３
【発明の概要】
【発明が解決しようとする課題】
【０００６】
しかし、上記特許文献１に示されたピックアップ装置においては、ナイロン弦の振動を検出できないとともに、構造が複雑であるという欠点を有する。上記特許文献２及び非特許文献１〜３に示されたピックアップ装置においては、サドルの底面が２つ又は４つの圧電素子に対して共通の平面で形成されているために、弦及び共鳴胴の振動が圧電素子に伝達され難いという問題があった。
【課題を解決するための手段】
【０００７】
本発明は、上記問題を解決するためになされたもので、その目的は、サドルの下部に圧電素子ごとの脚部を設けることで、弦及び共鳴胴の振動が圧電素子に無駄なくかつ集中して伝達されるようにした弦楽器のピックアップ装置を提供することにある。なお、下記本発明の各構成要件の記載においては、本発明の理解を容易にするために、後述する実施形態の対応箇所の符号を括弧内に記載しているが、本発明の各構成要件は、この実施形態の符号によって示された対応箇所の構成に限定解釈されるべきものではない。
【０００８】
上記目的を達成するために、本発明の構成上の特徴は、弦（１５）を支持するサドル（２２，３１，３２，３３）とブリッジ１４との間に圧電素子（２４ａ，２４ｂ，２４ｃ，２４ｄ）を配置して弦の振動をピックアップする弦楽器（１０）のピックアップ装置（２０）において、１つの弦に対して複数の圧電素子を設けるとともに、前記サドルの下部に前記複数の圧電素子に向けてそれぞれ下方に延びた複数の脚部（２２ｃ〜２２ｆ，３１ｃ〜３１ｆ，３２ｃ，３２ｄ，３３ｃ〜３３ｅ）を設けたことにある。
【０００９】
この場合、例えば、１つの弦に対して４つの圧電素子（２４ａ〜２４ｄ）を設けるとともに、サドル（２２，３１）の下部に４つの脚部（２２ｃ〜２２ｆ，３１ｃ〜３１ｆ）を設けるとよい。また、１つの弦に対して３つの圧電素子（２４ａ〜２４ｃ）を設けるとともに、サドル（３３）の下部に３つの脚部（３３ｃ〜３３ｅ）を設けてもよい。さらに、１つの弦に対して２つの圧電素子（２４ａ，２４ｂ）を設けるとともに、サドル（３２）の下部に２つの脚部（３２ｃ，３２ｄ）を設けてもよい。
【００１０】
上記のように構成した本発明においては、サドルの下部に複数の圧電素子にそれぞれ対応した複数の脚部を設けたので、弦及び胴の振動が圧電素子に無駄なくかつ集中して伝達される。その結果、本発明によれば、弦及び胴の振動を表す良好なピックアップ信号を得ることができる。
【００１１】
また、本発明の他の特徴は、サドルを、複数の弦にそれぞれ独立に設けたことにある。これによれば、弦及び胴の振動（応力）が弦ごとに独立して圧電素子に付与され、弦ごとの振動が良好にピックアップされる。
【００１２】
また、本発明の他の構成上の特徴は、さらに、サドルと圧電素子の相対的位置を決めるサポート部材を設けたことにある。これによれば、サドルが圧電素子と確実に接触して、ずれることはない。
【００１３】
この場合、サドルの上部から下部に向けて徐々に太くなるように（すなわち、水平断面の面積が上部から下部に向けて大きくなるように）、サドルを形成しておくとともに、サポート部材にサドルの中間部の大きさに合った貫通孔を形成しておき、サドルの上部がサポート部材の貫通孔を下方から上方へ貫通するように、サポート部材をサドル上に載置して、サポート部材をブリッジにねじ等の固定部材で固定するようにするとよい。これによれば、圧電素子をサドルとブリッジの間に挟んだ状態で、サドルをブリッジ上に簡単に固定できる。
【００１４】
さらに、本発明の他の構成上の特徴は、サポート部材は、導電性材料で構成されるとともに、接地されるように構成したことにある。これによれば、圧電素子及びその周辺回路がサポート部材によって電磁シールドされ、ピックアップ信号に外部からのノイズが含まれなくなる。
【図面の簡単な説明】
【００１５】
【図１】本発明の一実施形態に係るギターの外観概略図である。
【図２】(Ａ)はピックアップ装置をギターに組み付けた状態を示す斜視図であり、（Ｂ）はピックアップ装置の分解斜視図である。
【図３】図２のピックアップ装置を弦の長手方向に沿って切断した概略断面図である。
【図４】図２のピックアップ装置の基板の平面図である。
【図５】図２のピックアップ装のサドルの拡大斜視図である。
【図６】変形例に係るサドルの概略斜視図である。
【図７】他の変形例に係るサドルの概略斜視図である。
【図８】他の変形例に係るサドルの概略斜視図である。
【図９】他の変形例に係るサドルの概略斜視図である。
【発明を実施するための形態】
【００１６】
以下、本発明の一実施形態に係るギターのピックアップ装置について説明する。図１は、本発明の実施形態に係るギター（エレクトリック・アコースティックギター）１０の外観図である。
【００１７】
ギター１０は、胴１１、指板１２及びヘッド１３を備えるとともに、胴１１の上面に固定されたブリッジ１４とヘッド１３との間に張設された６本の弦１５を備えている。６本の弦１５はブリッジ１４上に設けた６個のサドル２２によってそれぞれ支持され、ブリッジ１４上にはサドル２２を含むピックアップ装置２０が配置されている。
【００１８】
ピックアップ装置２０は、図２及び図３に示すように、サドル２２に加えて、基板２１及びサポート部材２３を有する。基板２１は、図３及び図４に示すように、非導電性の樹脂などで長方形かつ板状に形成されている。基板２１上には、各組４個ずつの６組のピックアップ電極２４ａ，２４ｂ，２４ｃ，２４ｄ、４個の取出し電極２５ａ，２５ｂ，２５ｃ，２５ｄ、及び２つの接地電極２６ａ，２６ｂが配置されている。
【００１９】
６組のピックアップ電極２４ａ，２４ｂ，２４ｃ，２４ｄは、基板２１の長手方向に沿って配列されており、各組ごとに６本の弦１５にそれぞれ対応している。ピックアップ電極２４ａ，２４ｂ，２４ｃ，２４ｄは、それぞれ正方形かつ板状の圧電素子で形成され、正方形状の各頂点位置（前後方向及び左右方向に対称）にそれぞれ配置されている。なお、これらのピックアップ電極２４ａ，２４ｂ，２４ｃ，２４ｄは、図示省略しているが、実際には、圧電素子の上面及び下面側にそれぞれ上電極及び下電極が設けられ、上電極の上面には絶縁膜及び電磁シールド膜がそれぞれ設けられるとともに、下電極の下面は基板２１の上面に固着されている。
【００２０】
取出し電極２５ａ，２５ｂ，２５ｃ，２５ｄは、基板２１の長手方向の端部上面に設けられて、各組のピックアップ電極２４ａ，２４ｂ，２４ｃ，２４ｄによりピックアップされた振動を表す電気信号を外部に取出すための電極である。これらの４つの取出し電極２５ａ，２５ｂ，２５ｃ，２５ｄは、基板２１内に設けられた導電体を介して、各組のピックアップ電極２４ａ，２４ｂ，２４ｃ，２４ｄにそれぞれ接続されている。接地電極２６ａ，２６ｂは、基板２１の幅方向（長手方向と直交する方向）の両端部であって、ピックアップ電極２４ａ，２４ｂ，２４ｃ，２４ｄの両側位置にて、基板２１の上面に長手方向に沿って設けられている。これらの接地電極２６ａ，２６ｂは、基板２１内に設けられた導電体を介して接地されている。また、基板２１の長手方向両端部には、ねじ２７ａ，２７ｂを貫通させるための貫通孔２１ａ，２１ｂが設けられている。
【００２１】
サドル２２は、図３及び図５に示すように、樹脂などの硬質材料で成形され、上端部を平面に形成した正四角錐状（前後方向及び左右方向に対称）の本体部２２ａを備えている。本体部２２ａの上面には、弦１５の延設方向に沿って延設されて、弦１５を支持するための支持溝２２ｂが形成されている。本体部２２ａの底部には、底部の４隅から斜め下方に延設された４本の脚部２２ｃ，２２ｄ，２２ｅ，２２ｆ（ただし、脚部２２ｄは図示せず）が一体的に設けられている。これらの脚部２２ｃ，２２ｄ，２２ｅ，２２ｆの各底面は、同一平面を形成するように構成されるとともに、ピックアップ電極２４ａ，２４ｂ，２４ｃ，２４ｄよりも若干小さく設定されている。そして、脚部２２ｃ，２２ｄ，２２ｅ，２２ｆの底面をピックアップ電極２４ａ，２４ｂ，２４ｃ，２４ｄ位置に合わせて、サドル２２を基板２１上に載置した状態では、脚部２２ｃ，２２ｄ，２２ｅ，２２ｆの各底面がピックアップ電極２４ａ，２４ｂ，２４ｃ，２４ｄの上面にそれぞれ密着する。
【００２２】
サポート部材２３は、図２及び図３に示すように、導電性を有する金属（例えば、アルミニウム）で、下方にて開口した直方体状に成形されている。このサポート部材２３の長手方向の長さは基板２１の長手方向の長さとほぼ同じであり、幅方向（長手方向に対して直交する方向）の長さは基板２１の幅方向の長さよりも若干短く、具体的には基板２１の接地電極２６ａ，２６ｂ間の長さに等しく設定されている。サポート部材２３の上面部２３ａには、６個のサドル２２にそれぞれ対応した正方形状の貫通孔２３ａ１が設けられている。この貫通孔２３ａ１の大きさはサドル２２の中間部の大きさに設定されており、貫通孔２３ａ１の内側面は下方に向かって広がりかつサドル２２の外側傾斜面の角度と一致している。これにより、貫通孔２３ａ１にサドル２２をそれぞれ貫通させて、サポート部材２３をサドル２２上に載置した状態では、サドル２２の外側傾斜面と貫通孔２３ａ１の内側面が当接するようになっている。
【００２３】
また、サポート部材２３の側部２３ｂの高さは、前記サポート部材２３をサドル２２上に載置したでは、側部２３ｂの底面が基板２１に密着するように設定されている。特に、サポート部材２３の幅方向の両側部２３ｂ、２３ｂの各底面は基板２１の接地電極２６ａ，２６ｂに密着して電気的に接続されるようになっている。また、サポート部材２３の上面部２３ａの長手方向両端部には、ねじ２７ａ，２７ｂを貫通させるための貫通孔２３ａ２，２３ａ３が設けられている。
【００２４】
このように構成したピックアップ装置２０をギター１０のブリッジ１４に組み付けるには、図２(Ｂ)に示すように、まず、ブリッジ１４に設けた方形状の穴１４ａ内に基板２１を収納させる。次に、基板２１の６組のピックアップ電極２４ａ，２４ｂ，２４ｃ，２４ｄ上に、６個のサドル２２の脚部２２ｃ，２２ｄ，２２ｅ，２２ｆの底面をそれぞれ位置させて、６個のサドル２２を基板２１上にそれぞれ載置する。次に、サポート部材２３の６個の貫通孔２３ａ１を６個のサドル２２が貫通するように、サポート部材２３をサドル２２及び基板２１上に載置する。そして、ねじ２７ａ，２７ｂを、サポート部材２３の貫通孔２３ａ２，２３ａ３及び基板２１の貫通孔２１ａ，２１ｂを通過させて、ブリッジ１４に締め付け固定する。これにより、図２(Ａ)に示すように、基板２１、サドル２２及びサポート部材２３からなるピックアップ装置２０がギター１０のブリッジ１４に組み付けられる。その後、弦１５をサドル２２に支持させて、ブリッジ１４とヘッド１３との間に張設する。この弦１５をサドル２２に支持させた状態では、サドル２２が弦１５によって基板２１上に押し付けられており、サポート部材２３はサドル２２と基板２１（すなわちピックアップ電極２４ａ，２４ｂ，２４ｃ，２４ｄ）間の相対的位置を決める部材として機能する。
【００２５】
このようにして構成されたギター１０においては、演奏者が弦１５を弾くことによりギター演奏を行うと、弦１５の振動がサドル２２の脚部２２ｃ，２２ｄ，２２ｅ，２２ｆを介して基板２１のピックアップ電極２４ａ，２４ｂ，２４ｃ，２４ｄに伝達され、ピックアップ電極２４ａ，２４ｂ，２４ｃ，２４ｄから弦１５の振動に対応した電気信号が取出し電極２５ａ，２５ｂ，２５ｃ，２５ｄを介して取出される。また、ピックアップ電極２４ａ，２４ｂ，２４ｃ，２４ｄは基板２１上に設けられ、基板２１はギター１０のブリッジ１４に密着固定されているので、ギター１０の胴１１の共鳴振動に対応した電気信号も、前記弦１５の振動に対応した電気信号に加えて、取出し電極２５ａ，２５ｂ，２５ｃ，２５ｄから取出される。
【００２６】
また、ピックアップ電極２４ａ，２４ｂ，２４ｃ，２４ｄによってピックアップされた振動に対応した電気信号は、取出し電極２５ａ，２５ｂ，２５ｃ，２５ｄを介して独立に取出されるので、図示しない電気回路による演算処理により弦１５の延設方向に加えて、前記延設方向とそれぞれ直交する弦１５の横方向及び上下方向の３方向の振動、すなわち３次元の振動に対応した電気信号であるピックアップ信号を得られる。
【００２７】
上記のように構成した実施形態においては、サドル２２の下部に、圧電素子で構成したピックアップ電極２４ａ，２４ｂ，２４ｃ，２４ｄごとの脚部２２ｃ，２２ｄ，２２ｅ，２２ｆを設けたので、弦１５及び胴１１の振動がピックアップ電極２４ａ，２４ｂ，２４ｃ，２４ｄに無駄なくかつ集中して伝達される。その結果、上記実施形態によれば、弦１５及び胴１１の振動を表す良好なピックアップ信号を得ることができる。
【００２８】
また、６つのサドル２２は６本の弦１５にそれぞれ独立して設けられているので、弦１５ごとに独立した振動（応力）がピックアップ電極２４ａ，２４ｂ，２４ｃ，２４ｄに付与され、弦１５ごとの振動が良好にピックアップされる。
【００２９】
また、上記実施形態においては、サポート部材２３を用いて、サドル２２とピックアップ電極２４ａ，２４ｂ，２４ｃ，２４ｄ間の相対的位置を決めるようにしたので、サドル２２とピックアップ電極２４ａ，２４ｂ，２４ｃ，２４ｄとが確実に接触して、ずれることがなくなる。特に、上記実施形態においては、サドル２２は正四角錐状に形成されていて、サドル２２の上部から下部に向けて徐々に太くなっており、すなわち水平断面の面積が上部から下部に向けて大きくなっており、サドル２２の上部をサポート部材２３の貫通孔２３ａ１に下方から上方へ貫通させ、サポート部材２３をサドル２２上に載置するとともにサポート部材２３でサドル２２とピックアップ電極２４ａ，２４ｂ，２４ｃ，２４ｄの相対的位置を決めている。したがって、基板２１（ピックアップ電極２４ａ，２４ｂ，２４ｃ，２４ｄ）をサドル２２とブリッジ１４の間に挟んだ状態で、サドル２２とピックアップ電極２４ａ，２４ｂ，２４ｃ，２４が確実に接触して、ずれることがなくなる。
【００３０】
また、このサポート部材２３は、導電性の金属材料で構成され、基板２１上に設けた接地電極２６ａ，２６ｂを介して接地される。これにより、ピックアップ電極２４ａ，２４ｂ，２４ｃ，２４ｄ及びその周辺回路はサポート部材２３により電磁シールドされ、ピックアップ信号に外部からのノイズが含まれなくなる。
【００３１】
なお、本発明の実施にあたっては、上記実施形態に限定されるものではなく、本発明の目的を逸脱しない限りにおいて種々の変更が可能である。
【００３２】
上記実施形態では、正四角錐形状のサドル２２を用いるようにしたが、サドルの形状としては種々のものが考えられる。例えば、図６に示すように、下部を直方体状に形成するともに、上部をかまぼこ型（すなわち半円柱形状）に形成した本体部３１ａを有するサドル３１を用いることもできる。このサドル３１においても、上端部に弦１５を支持するための支持溝３１ｂが形成されている。また、本体部３１ａの底部には、底部の４隅から下方にそれぞれ延設された４本の正四角柱状の脚部３１ｃ，３１ｄ，３１ｅ，３１ｆ（ただし、脚部３１ｄは図示せず）が一体的に設けられている。これらの脚部３１ｃ，３１ｄ，３１ｅ，３１ｆの場合も、各底面は同一平面を形成するように構成されるとともに、ピックアップ電極２４ａ，２４ｂ，２４ｃ，２４ｄよりも若干小さく設定されている。また、サポート部材２３の上面部２３ａに設ける貫通孔２３ａ１の形状は、サドル３１の本体部３１ａの上部の形状に合わせた方形状である。
【００３３】
また、図７に示すように、弦１５に垂直な断面形状を台形とする四角柱状の本体部３２ａを有するサドル３２を用いることもできる。このサドル３２においても、上端部に弦１５を支持するための支持溝３２ｂが形成されている。また、本体部３２ａの底部には、底部の両端部から斜め下方にそれぞれ延設された２本の正四角柱状の脚部３２ｃ，３２ｄが一体的に設けられている。これらの脚部３２ｃ，３２ｄの場合も、各底面は同一平面を形成するように構成されている。ただし、この場合には、脚部３２ｃ，３２ｄの数に合わせて、基板２１には、各弦１５に対応して２つのピックアップ電極２４ａ，２４ｂをそれぞれ設けるとともに、２つの取出し電極２５ａ，２５ｂを設けるだけでよい。そして、脚部３２ｃ，３２ｄの各底面部はピックアップ電極２４ａ，２４ｂよりも若干小さく設定される。また、サポート部材２３の上面部２３ａに設ける貫通孔２３ａ１の形状は、サドル３２の本体部３２ａの中間部の形状に合わせた方形状である。
【００３４】
また、図８に示すように、正三角錐形状の本体部３３ａを有するサドル３３を用いることもできる。このサドル３３においても、本体部３３ａの上端部を平面に形成して、上端部には弦１５を支持するための支持溝３３ｂが形成されている。また、本体部３３ａの３角形の底部には、３角形の各頂点から斜め下方にそれぞれ延設された３本の断面方形状の脚部３３ｃ，３３ｄ，３３ｅが一体的に設けられている。これらの脚部３３ｃ，３３ｄ，３３ｅの場合も、各底面は同一平面を形成するように構成されている。ただし、この場合には、脚部３３ｃ，３３ｄ、３３ｅの数に合わせて、基板２１には、各弦１５に対応して３つのピックアップ電極２４ａ，２４ｂ，２４ｃを脚部３３ｃ，３３ｄ、３３ｅの底面位置に合わせてそれぞれ設けるとともに、３つの取出し電極２５ａ，２５ｂ，２５ｃを設ける。そして、脚部３３ｃ，３３ｄ，３３ｅの各底面部はピックアップ電極２４ａ，２４ｂ，２４ｃよりも若干小さく設定される。また、サポート部材２３の上面部２３ａに設ける貫通孔２３ａ１の形状は、サドル３２の本体部３２ａの中間部の形状に合わせた３角形状である。さらに、この場合には、サドル３３が正三角錐状に形成されているので、６つのサドル３３を基板２１上に配置する際には、スペースの関係上、弦１５の延設方向に対してサドル３３の向きを交互に前後逆にするとよい。
【００３５】
これらの図６乃至図８のサドル３１，３２，３３を用いた場合も、サドル３１，３２，３３の下部に脚部３１ｃ，３１ｄ，３１ｅ，３１ｆ，３２ｃ，３２ｄ，３３ｃ，３３ｄ，３３ｅを設けたので、上記実施形態の場合と同様に、弦１５及び胴１１の振動がピックアップ電極２４ａ，２４ｂ，２４ｃ，２４ｄに無駄なくかつ集中して伝達されて、弦１５及び胴１１の振動を表す良好なピックアップ信号を得ることができる。また、これらの変形例の場合も、弦１５ごとに独立して振動（応力）がピックアップ電極２４ａ，２４ｂ，２４ｃ，２４ｄが付与され、弦１５ごとの振動が良好にピックアップされる。さらに、これらの変形例の場合も、サポート部材２３により、サドル３１，３２，３３とピックアップ電極２４ａ，２４ｂ，２４ｃ，２４ｄ間の相対的位置が決められて、サドル３１，３２，３３とピックアップ電極２４ａ，２４ｂ，２４ｃ，２４ｄが確実に接触してずれることが無くなるとともに、ピックアップ電極２４ａ，２４ｂ，２４ｃ，２４ｄの電気的かつ磁気的なシールド性も向上する。
【００３６】
また、図６及び図８の変形例に場合には、サドル３１の脚部３１ｃ，３１ｄ，３１ｅ，３１ｆ及びサドル３３の脚部３３ｃ，３３ｄ，３３ｅは３つ以上であり、ピックアップ電極２４ａ，２４ｂ，２４ｃ，２４ｄも３つ以上あるので、図示しない電気回路による演算処理により、弦１５及び胴１１の３次元の振動に対応したピックアップ信号を得られる。しかし、図７の変形例の場合には、サドル３２の脚部３２ｃ，３２ｄは２つしかなく、ピックアップ電極２４ａ，２４ｂも２つしかないので、図示しない電気回路による演算処理によっても、弦１５及び胴１１の２次元の振動に対応したピックアップ信号しか得られない。ただし、この場合には、サドル３３及び基板２１の構成が簡素化される。
【００３７】
また、図９は、図６のサドル３１部分をさらに変形した変形例を示している。この変形例においては、６つのサドル３１が、各サドル３１間に設けたラバー等の弾性を有する素材からなる連結部材３４によって連結されている。この場合、サポート部材２３の上面部２３ａには、その形状が連結された６つのサドル２３の全体形状に合わせた方形状の１つの貫通孔２３ａ１のみを設ける。これによっても、連結部材３４がサドル３１間の振動を吸収するので、図６の変形例の場合と同様な効果が期待されるとともに、ピックアップ装置２０の組み付け時にサドル３１を１つずつ基板２１上に載置する必要がないので、生産効率が向上する。なお、このような連結部材３４によるサドル３１の連結に関しては、上記実施形態の図５のサドル２２、図７及び図８のサドル３２，３３にも適用され得る。
【００３８】
また、ラバーなどの連結部材３４に代えて、サドル３１間の振動を吸収する部材であれば、弾力性のある梁などの細い連結部材を用いてもよい。この場合には、サポート部材２３の上面部２３ａに設ける貫通孔２３ａ１に関しては、上記実施形態及び各種変形例の場合と同様にする。
【００３９】
また、上記実施形態及び各種変形例においては、サドル２２を正四角錐状、かまぼこ型、垂直断面を台形状とする四角柱状及び正三角錐状に成形するとともに、サポート部材２３にサドル２２の中間部の形状に合った貫通孔２３ａ１を設けておき、サポート部材２３の貫通孔２３ａ１にサドル２２を貫通させてサポート部材２３をブリッジ１４に固定するようにした。しかし、サポート部材２３の機能は、サドル２２を貫通孔２３ａ１に貫通させて、サドル２２とピックアップ電極２４ａ，２４ｂ，２４ｃ，２４ｄとの相対的位置を決めることにある。したがって、サドル２２の形状及びサポート部材２３の貫通孔２３ａ１の形状は上記実施形態及び各種変形例の形状に限定されるものではない。すなわち、サドル２２は、その上部から下部に向けて徐々に太くなるように（すなわち、水平断面の面積が上部から下部に向けて大きくなるように）形成し、サポート部材２３にサドルの中間部の大きさに合った貫通孔を形成しておけばよい。たとえば、サドル２２を円錐状、又は正五角錐状、正六角錐状などの正多角錐状に形成するとともに、サポート部材２３にサドルの中間部の大きさに合った円形、又は正五角形、正六角形などの正多角形の貫通孔を設けておけばよい。
【００４０】
また、上記実施形態及び各種変形例においては、電極、絶縁膜、電磁シール膜などを圧電素子に積層したピックアップ電極２４ａ，２４ｂ，２４ｃ，２４ｄを基板２１上に一体的に設けるようにした。しかし、これに代えて、市販の圧電素子を基板２１上に配置するようにしてもよい。
【００４１】
さらに、上記実施形態及び各種変形例においては、本発明に係るピックアップ装置２０をギター１０に適用した例について説明したが、このピックアップ装置２０は、ベースギター、ヴァイオリン、マンドリン等の他の弦楽器にも適用できる。
【符号の説明】
【００４２】
１０…ギター、１４…ブリッジ、１５…弦、２０…ピックアップ装置、２１…基板、２２，３１，３２，３３…サドル、２２ａ，３１ａ，３２ａ，３３ａ…本体部、２２ｂ，３１ｂ，３２ｂ，３３ｂ…支持溝、２２ｃ〜２２ｆ，３１ｃ〜３１ｆ，３２ｃ，３２ｄ，３３ｃ〜３３ｅ…脚部、２３…サポート部材、２３ａ１…貫通孔、２４ａ，２４ｂ，２４ｃ，２４ｄ…ピックアップ電極、３４…連結部材
【図１】
2013218086.tif 000003
【図２】
2013218086.tif 000004
【図３】
2013218086.tif 000005
【図４】
2013218086.tif 000006
【図５】
2013218086.tif 000007
【図６】
2013218086.tif 000008
【図７】
2013218086.tif 000009
【図８】
2013218086.tif 000010
【図９】
2013218086.tif 000011